(57)【要約】      （修正有）【課題】室内に浮遊している微細なハウスダスト、花粉、ダニの死骸、ウイルス、タバコの煙等のミクロダストを除去し、又、微量に発生したオゾンが室内の臭いも分解し、室内の空気を無害な、清浄化された空気環境にする空気清浄機の提供。【解決手段】室内の壁面又は天井に設置されたプラス電極を内装し、紙製除菌フィルターを装着した集塵盤２と分離して、対向する壁面に設置された小型のマイナスイオン発生器１により構成され、マイナスイオン発生器から発生放出されるマイナスイオンによりイオン化されたミクロダストの集塵効果を上げる。又、ミクロダストを集塵して汚れた紙製除菌フィルターの除去も平面形状であるため非常に簡単で、新しい紙製除菌フィルターの装着も簡単である。【選択図】図１
2009279360.tif 000002
【特許請求の範囲】
【請求項１】
室内の壁面又は天井に、平面状の紙製除菌フィルターの裏面にプラス電極を内装した集塵盤を設置し、対向する壁面にマイナスイオン発生器を設置して、このマイナスイオン発生器から発生するマイナスイオンが室内に放出され、室内の空気をマイナスイオン化し、室内に浮遊している微細なハウスダスト、花粉、ダニの死骸、ウイルス、タバコの煙等のミクロダストをイオン化し、クーロン力を用いて電気的に集塵し、プラス電極を内装し、紙製除菌フィルターを装着した集塵盤に吸着させて、これらのミクロダストを紙製除菌フィルターにより除菌する。
更に、微量に発生したオゾンが室内の臭いも分解することにより、室内の汚れた空気を無害な、清浄化された空気環境にするマイナスイオン発生式除菌空気清浄機である。
【発明の詳細な説明】
【技術分野】
【０００１】本発明は、室内の壁面又は天井に、平面状の紙製除菌フィルターの裏面にプラス電極を内装した集塵盤を設置し、壁面又は天井に設置してあるため運転中に場所を取らず、室内に浮遊している微細なハウスダスト、花粉、ダニの死骸、ウイルス、タバコの煙等のミクロダストがイオン化され、クーロン力を用いて電気的に紙製除菌フィルターを装着した集塵盤に集塵されたとき、紙製除菌フィルターによりミクロダストを除菌し、汚れた紙製除菌フィルターを簡単に除去できる構造をしている。
対向する壁面にはプラス電極を内装し、紙製除菌フィルターを装着した集塵盤と分離された小型のマイナスイオン発生器を邪魔にならない壁面の高い場所に設置して、このマイナスイオン発生器から発生するマイナスイオンが室内に放出され、この放出されたマイナスイオンが室内に浮遊している微細なハウスダスト、花粉、ダニの死骸、ウイルス、タバコの煙等のミクロダストをイオン化し、クーロン力を用いて電気的にプラス電極を内装し、紙製除菌フィルターを装着した集塵盤で集塵されたミクロダストを紙製除菌フィルターにより除菌すると同時に、微量に発生したオゾンが室内の臭いも分解することにより、室内の汚れた空気を無害な、清浄化された空気環境にするマイナスイオン発生式除菌空気清浄機に関するものである。
【背景技術】
【０００２】従来のマイナスイオン発生式空気清浄機はマイナスイオン発生用電極と集塵盤が一つの筐体内部に設置されていて、筐体内のマイナスイオン発生用電極から発生されたマイナスイオンが筐体内から室内へ放出され、室内に浮遊している微細なハウスダスト、花粉、ダニの死骸、ウイルス、タバコの煙等のミクロダストをイオン化して、電気的に筐体内に設置されている集塵盤に向かって戻ってきて、集塵されることにより、室内の汚れた空気を無害な、清浄化された空気環境にしているが、マイナスイオン発生用電極と集塵盤が一つの筐体内に設置されているため、筐体がプラス電位に帯電し易く、この為、室内のミクロダストをイオン化したマイナスイオンが筐体の近くに戻ってきたとき、集塵盤に吸着される前にその一部が筐体に附着し、筐体が汚れやすく、掃除の手間がかかる。
又、集塵盤に吸着している汚れを取るために紙等のフイルターを集塵盤の表面に設置しているが、汚れたフイルターの交換が面倒である。【０００３】ワンボックス式のマイナスイオン式空気清浄機は筐体が小さくできず、置き場所に困り、周辺の掃除が必要で維持管理が大変である。【０００４】そのため、従来のマイナスイオン発生式空気清浄機は筐体の掃除、及び置場所の周辺をこまめに掃除しなければならない。
汚れたフィルターは面倒でも、筐体のカバーを外してフィルターの交換をしています。【０００５】よって、マイナスイオン発生式空気清浄機の持つ、これらの欠点は改善の必要が求められています。【０００６】又、従来のマイナスイオン式空気清浄機はミクロダストを集塵するが、除菌力がないため集塵されたミクロダストの有害成分が蓄積されてゆく。
【発明の開示】
【発明が解決しようとする課題】
【０００７】解決しようとする問題点は、従来のマイナスイオン発生式空気清浄機は汚れやすく掃除をしなくてはならない、汚れたフィルター交換等のメンテナンスの煩わしさ、置き場所に困ること、更に、マイナスイオン発生式空気清浄機を設置した周辺に、イオン化されたミクロダストが完全に集塵盤に吸着されず、床面に落下して、周辺を黒く汚れてしまうことが発生しているのが現状です。【０００８】又、集塵されたミクロダストは除菌されないため、連続運転していると有害なミクロダストが蓄積されて、有害物質の蓄積所となってしまうのである。
【課題を解決するための手段】
【０００９】本発明は、従来のマイナスイオン発生式空気清浄機に必要とされている掃除等のメンテナンスの煩わしさを解消し、本発明のマイナスイオン発生式除菌空気清浄機はマイナスイオン発生器及びプラス電極を内装し、紙製除菌フィルターを装着した集塵盤が壁面設置型であるため、床面に設置場所を必要とせず、マイナスイオンによりイオン化された室内に浮遊しているミクロダストがプラス電極を内装して、紙製除菌フィルターを装着した集塵盤に集塵されるとき、ミクロダストが落下して床を汚すことのないようにし、集塵されたミクロダストは紙製除菌フィルターを装着した集塵盤で紙製除菌フィルターにより除菌される。【００１０】ミクロダストを除菌する紙製除菌フィルターは不織布、障子紙、キッチンペーパー等に酸化チタン、酸化銅等の殺菌力のある金属酸化物をしみ込ませた除菌フィルターで製作されている。【００１１】本発明のマイナスイオン発生器は室内の壁面に、マイナスイオン発生器と分離されたプラス電極を内装し、紙製除菌フィルターを装着した集塵盤は室内の対向する壁面又は天井に設置されている。【００１２】又、マイナスイオン発生器はマイナスイオン発生用電極の前部を開放型にしたことにより、マイナスイオンの発生効率を１００％に上昇させ、プラス電極を内装し、紙製除菌フィルターを装着した集塵盤も筐体内に設置しない平面形にしたことで、マイナスイオンによりイオン化されたミクロダストが筐体等に邪魔をされることなく、効率よく紙製除菌フィルターを装着した集塵盤に集塵でき、ミクロダストが周辺に落下することがない。
【作用】
【００１３】以上のように、本発明は図１及び図２のように、マイナスイオン発生器を壁面に設置し、対向する壁面又は天井にプラス電極を内装し、紙製除菌フィルターを装着した集塵盤を設置することにより、マイナスイオン発生器から室内に発生放出されるマイナスイオンが空気をイオン化し、室内に浮遊している微細なハウスダスト、花粉、ダニの死骸、ウイルス、タバコの煙等のミクロダストをイオン化し、クーロン力を用いて、イオン化されたミクロダストはプラス電極を内装し、紙製除菌フィルターを装着した集塵盤に向かって電気的に集塵され、集塵されたミクロダストは紙製除菌フィルターにより除菌される。
又、微量に発生したオゾンが室内の臭いも分解することにより、室内の空気を無害な、清浄化された空気環境にできる。
【実施例】
【００１４】本発明の実施例を図面に基ずいて説明する。
図１はマイナスイオン発生器１を壁面に設置し、対向する壁面にプラス電極を内装し、紙製除菌フィルターを装着した集塵盤２、高電圧電源（±６，０００〜８０００Ｖ、最大５００ｍｍＡの低電流）３、マイナス電位送電用高電圧送電線４、プラス電位送電用高電圧送電線５、を設置した構成を示す状態図である。【００１５】図２はマイナスイオン発生器Ｉを壁面に設置し、天井にプラス電極を内装し、紙製除菌フィルターを装着した集塵盤２、高電圧電源（±６，０００〜８，０００Ｖ、最大５００ｍｍＡの低電流）３、マイナス電位送電用高電圧送電線４、プラス電位送電用高電圧送電線５を設置した構成を示す状態図である。【００１６】図３はマイナスイオン発生器の構造図で、マイナスイオン発生用電極６、筐体の前面中央部からマイナスイオンを放出させるマイナスイオン放出口７、プラス電極板８、筐体９、マイナス電位送電用高電圧送電線４、プラス電位送電用高電圧送電線５とから構成されている。【００１７】図４は集塵盤の構造図で、紙製除菌フィルター１０、導電性金属製プラス電極板１１、プラスチック、材木板等で製作された取り付け盤１２、プラス電位送電用高電圧送電線５とから構成されている。【００１８】図５は本発明の原理説明図で、紙製除菌フィルター１０に、導電性金属製電極盤１１により＋６，０００〜８，０００Ｖの高電圧を印加して、プラスの高電圧に帯電させると、マイナスイオン発生器１から発生放出されたマイナスイオン１３により、マイナスに帯電したミクロダスト１５が導電性金属製電極盤１１によりプラスに帯電した紙製除菌フィルター１０との間に発生したクーロン力により紙製除菌フィルター１０に吸着させる。【００１９】紙製除菌フィルター１０に吸着集塵されたミクロダスト１５は紙製除菌フィルター１０にしみ込ませた酸化チタン、酸化銅等の殺菌力のある金属酸化物により除菌される。
【発明の効果】
【００２０】以上のように構成された本発明のマイナスイオン発生式除菌空気清浄機はプラス電極板を内装し、紙製除菌フィルターを装着した集塵盤が平面形状で、前面に障害物がないためイオン化されたミクロダストが邪魔をされることが無く、紙製除菌フィルターを装着した集塵盤に向かって完全に集塵されるので、ミクロダストが落下して周辺を汚すことがない。
プラス電極板を内装し、紙製除菌フィルターを装着した集塵盤が汚れたときは平面形状であるため、汚れた紙製除菌フィルターを簡単に除去することができ、新しい紙製除菌フィルターを簡単に取り付けることができる。
【００２１】マイナスイオン発生器はマイナスイオンが発生放出し易い形状になっているため、マイナスイオン発生量が非常に多くなっている。
プラス電極を内装し、紙製除菌フィルターを装着した集塵盤は平面形状で、前面に筐体のような障害物がないため、イオン化されたミクロダストを完全に吸着できるようになっている事はすばらしいことである。
【００２２】又、マイナスイオン発生器及びプラス電極を内装し、紙製除菌フィルターを装着した集塵盤は壁面設置型であるため、置き場所を必要とせず、人が行動するとき邪魔にならない。
【００２３】さらに、フィルター交換のメンテナンスが簡単であることはすばらしいことである。
【００２４】ここで、マイナスイオン式除菌空気清浄機の原理を説明します。
室内の壁面に設置されたマイナスイオン発生器に内装されているマイナスイオン発生用電極に−６，０００〜８，０００Ｖの高電圧を印加し、コロナ放電させ、マイナスイオンを発生放出し、空気をマイナスイオン化し、ミクロダストをマイナスに帯電し、＋６，０００〜８，０００Ｖの高電圧を印加して、導電性金属製電極板によりプラスに帯電された紙製除菌フィルターとの間に発生したクーロン力により紙製除菌フィルターを装着した集塵盤に吸着され、紙製除菌フィルターによりミクロダストが除菌されます。
【図面の簡単な説明】
【００２５】
【図１】本実施例の室内に、マイナスイオン発生器を壁面に設置し、対向する壁面にプラス電極を内装し、紙製除菌フィルターを装着した集塵盤を設置した構造を示す図である。
【図２】本実施例の室内に、マイナスイオン発生器を壁面に設置し、天井にプラス電極を内装し、紙製除菌フィルターを装着した集塵盤を設置した構造を示す図である。
【図３】本実施例のマイナスイオン発生器の構造を示す図である
【図４】本実施例のプラス電極を内装し、紙製除菌フィルターを装着した集塵盤の構造を示す図である
【図５】本実施例の原理を示す図である。
【符号の説明】
【００２６】  １．マイナスイオン発生器
２．プラス電極板を内装し、紙製除菌フィルターを装着した集塵盤
３．高電圧電源（電圧：±６，０００〜８０００Ｖ、電流：最大５００μＡ）
４．マイナス電位送電用高電圧送電線
５．プラス電位送電用高電圧送電線
６．マイナスイオン発生用電極
７．マイナスイオン放出口
８．プラス電位電極板
９．筐体
１０．紙製除菌シート
１１．導電性金属製電極板
１２．プラスチック、材木板等で製作された取り付け盤
１３．マイナスイオン
１４．プラスイオン
１５．ミクロダスト
１６．クーロン力
【図１】
2009279360.tif 000003
【図２】
2009279360.tif 000004
【図３】
2009279360.tif 000005
【図４】
2009279360.tif 000006
【図５】
2009279360.tif 000007